(57)【要約】  本発明は、式Ｉ：ｎＣ7Ｈ15−Ｏ−（Ｇ）p−Ｈ（Ｉ）（式中、Ｇは還元糖の残基であり、そしてｐは１．０５以上かつ５以下の小数である）を有する化合物に関する。本発明は、その製造方法、そしてハイドロトロープ界面活性剤としてのその使用にも関し、前記使用は、水性アルカリ性組成物中において、式IIを有する少なくとも１種の非イオン性界面活性剤：Ｒ−（Ｏ−ＣＨ（Ｒ’）−ＣＨ２）n−（０−ＣＨ２−ＣＨ２）m−０−Ｈ（II）（式中、Ｒは、炭素原子８〜１４個を含む、直鎖または分枝の飽和または不飽和脂肪族炭化水素ラジカルであり、Ｒ’はメチルまたはエチルラジカルであり、ｎは０以上かつ１５以下の整数であり、そしてｍは０以上かつ１５以下の整数であり、和ｎ＋ｍはゼロを超えるものとする）を可溶性とすることである。本発明はまた、０．５重量％〜２０重量％の式Ｉの化合物と、０．５重量％〜８０重量％の式IIの化合物と、１０重量％〜５０重量％の少なくとも１種のアルカリ性作用物質と、１５重量％〜８９重量％の水と、任意選択で１０重量％〜５０重量％の少なくとも１種の石灰スケール防止剤とを含有する組成物Ｃ1にも関する。本発明は、さらに、硬質な表面を洗浄するための前記組成物の使用に関する。【特許請求の範囲】
【請求項１】
式（Ｉ）の化合物または式（Ｉ）の化合物の混合物。
ｎＣ7Ｈ15−Ｏ−（Ｇ）p−Ｈ        （Ｉ）
（式中、Ｇは還元糖の残基を表し、そしてｐは１．０５以上かつ５以下の小数を表す。）
【請求項２】
請求項１に記載の式（Ｉ）の化合物または前記式（Ｉ）の化合物の混合物であって、前記還元糖の残基Ｇが、グルコース残基、キシロース残基およびアラビノース残基から選択され、そしてｐが、１．０５以上かつ２．５以下の小数を表す化合物または混合物。
【請求項３】
請求項１および２のいずれか一項に記載の式（Ｉ）の化合物または前記式（Ｉ）の化合物の混合物の製造方法であって、以下の連続した工程：
−  式（III）の還元糖を、過剰モルの、式Ｃ7Ｈ15−ＯＨのｎ−ヘプタノールと反応させて、式（Ｉ）の化合物とｎ−ヘプタノールとの混合物を生成する工程Ａ）と、
ＨＯ−（Ｇ）p−Ｈ      （III）
（式中、Ｇは、還元糖の残基を表す）
−  工程Ａ）で得られた前記混合物からｎ−ヘプタノールを除去する工程Ｂ）と
を含む方法。
【請求項４】
請求項１および２のいずれか一項に記載の式（Ｉ）の化合物または前記式（Ｉ）の化合物の混合物のハイドロトロープ界面活性剤としての使用。
【請求項５】
請求項１および２のいずれか一項に記載の式（Ｉ）の化合物の使用であって、水性アルカリ性組成物中において、式（II）の少なくとも１種の非イオン性界面活性剤を可溶性とする作用物質としての使用。
Ｒ−（Ｏ−ＣＨ（Ｒ’）−ＣＨ2）n−（Ｏ−ＣＨ2−ＣＨ2）m−Ｏ−Ｈ  （II）
（式中、Ｒは、炭素原子８〜１４個を含む、直鎖または分枝した飽和または不飽和の炭化水素系脂肪族ラジカルを表し、Ｒ’はメチルまたはエチルラジカルを表し、ｎは０以上かつ１５以下の整数を表し、ｍは０以上かつ１５以下の整数を表し、和ｎ＋ｍはゼロを超えると理解される。）
【請求項６】
請求項５に記載の使用であって、式（II）における前記Ｒラジカルが、オクチル、デシル、ドデシル、テトラデシル、２−エチルヘキシル、２−ブチルオクチル、２−ブチルデシル、２−ヘキシルオクチル、イソオクチル、イソノニル、イソデシル、イソウンデシル、イソドデシル、イソトリデシル、イソテトラデシルまたは２−プロピルヘプチルラジカルから選択されるラジカルを表すことを特徴とする使用。
【請求項７】
請求項５および６のいずれか一項に記載の使用であって、式（II）におけるｎが、０以上かつ６以下であり、より詳細には０以上かつ３以下であり、そしてより一層詳細には０以上かつ２以下である整数を表すことを特徴とする使用。
【請求項８】
請求項５〜７のいずれか一項に記載の使用であって、式（II）におけるｍが、１以上かつ９以下であり、より詳細には２以上かつ６以下であり、そしてより一層詳細には２以上かつ４以下である整数を表すことを特徴とする使用。
【請求項９】
請求項５〜８のいずれか一項に記載の使用であって、前記式（II）の化合物と前記式（Ｉ）の化合物との間の重量比が、９／１以下かつ１／４以上であることを特徴とする使用。
【請求項１０】
組成物（Ｃ1）であって、その重量の１００％に対して、
ａ）重量で０．５％〜２０％の、請求項１に記載の少なくとも１種の式（Ｉ）の化合物と、
ｂ）重量で０．５％〜８０％の、少なくとも１種の式（II）の非イオン性界面活性剤と、
Ｒ−（Ｏ−ＣＨ（Ｒ’）−ＣＨ2）n−（Ｏ−ＣＨ2−ＣＨ2）m−Ｏ−Ｈ  （II）
（式中、Ｒは、炭素原子８〜１４個を含む、直鎖または分枝の飽和または不飽和炭化水素系脂肪族ラジカルを表し、Ｒ’はメチルまたはプロピルラジカルを表し、ｎは０以上かつ１５以下の整数を表し、ｍは０以上かつ１５以下の整数を表し、和ｎ＋ｍはゼロを超えると理解される）
ｃ）重量で１０％〜５０％の、アルカリ金属水酸化物およびアルカリ土類金属水酸化物で構成される群の要素から選択される少なくとも１種のアルカリ性作用物質と、
ｄ）重量で１５％〜８９％の水と、そして
任意に、ｅ）重量で１０％〜５０％の、少なくとも１種の水軟化剤と
を含む組成物（Ｃ1）。
【請求項１１】
請求項１０に記載の組成物（Ｃ1）であって、前記式（II）の化合物と前記式（Ｉ）の化合物との間の重量比が、９／１以下かつ１／４以上であることを特徴とする組成物（Ｃ1）。
【請求項１２】
請求項１０および１１のいずれか一項に記載の組成物（Ｃ1）の、硬質な表面を洗浄するための使用。
【請求項１３】
硬質な表面の洗浄方法であって、
請求項１０および１１のいずれか一項に記載の組成物（Ｃ1）を前記硬質な表面に塗布する少なくとも１つの工程ａ1）と、
それに続く、前記硬質な表面をすすぐ少なくとも１つの工程ｂ1）と
を含むことを特徴とする方法。
【発明の詳細な説明】
【発明の概要】
【０００１】
本発明は、新規な界面活性剤に関し、特に洗浄用に使用される、特に濃アルカリ性媒体中で安定な水性組成物中において低発泡性の非イオン活性界面活性剤を可溶性とするための、ハイドロトロープ剤（hydrotropic agent）としてのその使用に関する。
【０００２】
ハイドロトロープ剤は、低溶解性を有するまたは不溶である化合物を、水中に、またはその化合物を含む組成物の水相中に可溶性とするために使用される化学物質である。「水中に、または水相中に低溶解性を有するまたは不溶である化合物」の表現は、所望の温度で所望の期間について、主としてまたは完全に水で構成される相中に添加されると、溶液または全体的に明澄な、透明な、等方性の、均質かつ安定な組成物を得ることを可能とすることのない化合物を示す。この溶解性の欠如は、とりわけ、問題の化合物の化学構造、および／または前記化合物を可溶性とすることが求められる水相中におけるアルカリ性作用物質および／または電解質および／または中性塩の存在のためである。
【０００３】
水中において低溶解性を有するまたは不溶である化合物の中で、疎水性化合物、例えば、油、精油、芳香剤、顔料、陰イオン性界面活性剤、陽イオン性界面活性剤、非イオン性界面活性剤および両性界面活性剤を挙げてもよい。
【０００４】
ハイドロトロープ剤は、特に、化粧用組成物、医薬組成物、家庭もしくは工業的用途のため硬質な表面を洗浄する意図の洗浄組成物、または塩水を含有する油作業のために使用される組成物を製造するのに使用される。
【０００５】
ハイドロトロープ剤の使用を要する化粧用組成物は、一般に、それにより製剤業者が、大量の中性塩および／または電解質の存在において、可溶性の油および／または精油および／または芳香剤および／または界面活性剤を製造することを望む組成物である。
【０００６】
家庭用または工業的用途のため硬質な表面を洗浄する、例えば、脂肪で汚れたビンを洗浄する、床を洗う、または金属表面を清浄にする意図の洗浄組成物は、洗剤用界面活性剤を含み、かつ前記組成物の洗浄効果を増大させるように、高濃度のアルカリ性作用物質をも含む。これらの組成物は、処理しようとする汚れが存在する状態での洗浄作業中にかなりの泡の形成を生じてはならず、そしてアルカリ性媒体中で良好な濡れ性と、良好な洗浄能力をも示さなければならない。
【０００７】
それらの両親媒性構造のため、家庭または工業的用途のため硬質な表面を洗浄する意図の洗浄組成物中に使用される洗剤用界面活性剤は、前記組成物に、硬質な表面に存在する汚れを除去し、その汚れを懸濁物として保持し、そのため次いですすぎ工程の間にそれを除去することができる能力をもたらす。これらの洗剤用界面活性剤は、陰イオン性、陽イオン性、両性もしくは非イオン性のものとしてもよい。硬質な表面ともに改良された環境特性をも与えられた非イオン性界面活性剤が、特に使用される。これらの洗浄組成物は、アルカリ性作用物質により、かつ水軟化剤をも介して、例えば、金属イオン封鎖剤および／またはイオン交換剤および／または沈殿剤により持ち込まれる大量の電解質を含むので、貯蔵堆積物を呈しない安定な組成物を得るように、大量の洗剤用界面活性剤を溶解することは困難である。
【０００８】
水中で、または水相中で低溶解性を有するまたは不溶である化合物の溶解性を向上させるために、ハイドロトロープ剤、例えば、有機溶媒、例えばエタノール、キシレンスルホン酸塩およびクメンスルホン酸塩などを使用することが当業者に知られている。エタノールは、効果的なハイドロトロープ剤であるが、爆発性の危険を招く欠点を有する。キシレンスルホン酸塩およびクメンスルホン酸塩は、大量の界面活性剤にはあまり有効ではなく、そして新たな環境規制基準に適合させるための生分解性も示さない。
【０００９】
アルキルポリグリコシドも、脱泡性非イオン性界面活性剤を可溶性とする作用物質として記述される。
【００１０】
国際公開ＷＯ９６／３３２５５Ａ１は、消泡組成物であって、そのアルキル鎖が２−エチルヘキシルラジカルによって構成される、特定のアルキルポリグルコシドと、モノエトキシ化もしくはポリエトキシ化基およびモノプロポキシ化もしくはポリプロポキシ化基から選択される１つ以上の基を含むものから選択される脱泡性非イオン性界面活性剤とを含む消泡組成物を記述している。その中では、２−エチルヘキシル鎖を含むアルキルポリグルコシドが、ヘキシル鎖を含むアルキルポリグリコシドよりも、脱泡性非イオン性界面活性剤を可溶性とするのに有効であることが教示されている。
【００１１】
国際公開ＷＯ９９／２１９４８Ａ１は、高アルカリ濃度で清澄および安定である組成物であって、その発泡能力が制御され、大量のアルキレンオキシド系非イオン性界面活性剤およびハイドロトロープ剤としてヘキシルグリコシドを含有する組成物を開示している。これらの組成物は、良好な湿潤能力および硬質な表面向けの良好な洗剤特性によって特徴付けられる。その中で教示されることは、ヘキシルグリコシド、そしてより詳細にはｎ−ヘキシルポリグルコシドが、強アルカリ性媒体中で非イオン性界面活性剤を可溶性とすることが可能であること、および、非イオン性界面活性剤であって、その構造が、直鎖アルコールの含有量約８０％の、炭素原子９〜１１個を含む直鎖および分枝アルコールの混合物の、４モルのエチレンオキシドによるエトキシ化によってもたらされる、非イオン性界面活性剤について、１０％〜４０％の量の水酸化ナトリウムの存在において、ｎ−ヘキシルグルコシドが、２−エチルヘキシルグルコシドよりも、そしてＥｘｘａｌ  ７グルコシドよりも高い可溶化能力によって特徴付けられることである。しかし、２−エチルヘキシルグルコシドも、またはｎ−ヘキシルグルコシドも、大量のアルカリ性作用物質、および水軟化剤により持ち込まれる大量の電解質の両方を可溶性にすることを可能にする特性を特徴とするものではない。
【００１２】
したがって、本出願人は、新たなハイドロトロープ剤からなる新規な技術的溶液であって、そのハイドロトロープ剤が、より詳細には、非イオン性洗剤界面活性剤を含む、生態毒性がなく（nonecotoxic）、生分解性および不燃性である特性を有する組成物を製造することを可能にする技術的溶液の開発に努めており、その溶液は、水中において低溶解性を有する、または不溶である化合物を可溶性にすることを可能とし、そしてより詳細には、非イオン性界面活性剤を、高含有量のアルカリ性作用物質および／または電解質および／または中性塩の存在において、水性媒体中に可溶性にすることを可能とするものである。したがって、第１の態様によれば、本発明の主題は、式（Ｉ）の化合物：
ｎＣ7Ｈ15−Ｏ−(Ｇ)p−Ｈ        （Ｉ）
（式中、Ｇは、還元糖の残基を表し、そしてｐは１．０５以上かつ５以下の小数を表す）または前記式（Ｉ）の化合物の混合物である。
【００１３】
前記において定義した式（Ｉ）の化合物の定義において、ｐは、残基Ｇの平均重合度を表す小数である。ｐが整数である場合、（Ｇ）pは、Ｇ残基の階数ｐのポリマー残基である。ｐが小数である場合、式（Ｉ）は、
【数１】
2013545844.tif 000002
【００１４】
となるような、モル比ａ1、ａ2、ａ3、．．．ａqの化合物の混合物
ａ1ｎＣ7Ｈ15−Ｏ−（Ｇ）1−Ｈ＋ａ2ｎＣ7Ｈ15−Ｏ−（Ｇ）2−Ｈ＋ａ3ｎＣ7Ｈ15−Ｏ−（Ｇ）3−Ｈ＋．．．＋ａqｎＣ7Ｈ15−Ｏ−（Ｇ）q−Ｈ
（ｑは、１〜５の整数を表す）を示す。
【００１５】
用語「還元糖」は、式（Ｉ）において、それらの構造中に、アノマー炭素とアセタール基の酸素との間のグリコシド結合を有しない糖誘導体を示し、参考書：「Ｂｉｏｃｈｅｍｉｓｔｒｙ」、Ｄａｎｉｅｌ  Ｖｏｅｔ／Ｊｕｄｉｔｈ  Ｇ．Ｖｏｅｔ、２５０頁、Ｊｏｈｎ  Ｗｙｌｅｙ  ＆  Ｓｏｎｓ、１９９０年においてそれらが定義される通りである。オリゴマー構造（Ｇ）pは、これが光学異性、幾何異性、または位置異性であろうとなかろうと、任意の異性体形態にあるものとすることができる；それらは異性体の混合物を呈することもできる。
【００１６】
上記で定義した式（Ｉ）において、ｎＣ7Ｈ15−Ｏ基は、アセタール官能基を形成するように、糖残基のアノマー炭素を介してＧに結合される。
【００１７】
本発明の特定の態様によれば、式（Ｉ）の化合物の定義において、Ｇは、グルコース、デキストロース、スクロース、フルクトース、イドース、グロース、ガラクトース、マルトース、イソマルトース、マルトトリオース、ラクトース、セロビオース、マンノース、リボース、キシロース、アラビノース、リキソース、アロース、アルトロース、デキストランまたはタロースから選択される還元糖の残基を表す。
【００１８】
本発明の特定の態様によれば、式（Ｉ）の化合物の定義において、Ｇは、グルコース、キシロースおよびアラビノース残基から選択される還元糖の残基を表し、そしてｐは、１．０５以上かつ２．５以下の小数を表す。
【００１９】
本発明のより一層特定の態様によれば、式（Ｉ）の化合物の定義において、Ｇは、グルコース、キシロースおよびアラビノース残基から選択される還元糖の残基を表し、そしてｐは、１．０５以上かつ２．０以下、そしてより一層詳細には１．２５以上かつ２．０以下の小数を表す。
【００２０】
第２の態様によれば、本発明の主題は、前記において定義した式（Ｉ）の化合物、または前記式（Ｉ）の化合物の混合物の製造方法であり、以下の連続した工程
−  式（III）の還元糖を、過剰モルの、式ｎＣ7Ｈ15−ＯＨのｎ−ヘプタノールと反応させて、前記において定義した式（Ｉ）の化合物とｎ−ヘプタノールとの混合物を生成する工程Ａ）と、
ＨＯ−（Ｇ）p−Ｈ      （III）
（式中、Ｇは、還元糖の残基を表す）
−  工程Ａ）で得られた前記混合物からｎ−ヘプタノールを除去する工程Ｂ）と
を含む方法である。
【００２１】
工程Ａ）は、一般に、反応器内で、酸性触媒系の存在において２つの試薬間の化学量論的比率を調節することによって、そしてより詳細には、過剰モルのｎ−ヘプタノールを導入し、所定の温度および部分真空条件下で、例えば、７０℃〜１３０℃の温度および３００ミリバール（３×１０4Ｐａ）〜２０ミリバール（２×１０3Ｐａ）の部分真空条件下で機械的に撹拌することによって行われる。用語「酸性触媒系」は、強酸、例えば硫酸、塩酸、リン酸、硝酸、次亜リン酸、メタンスルホン酸、（パラ−トルエン）スルホン酸もしくは（トリフルオロメタン）スルホン酸など、またはイオン交換樹脂を示す。
【００２２】
工程Ａ）の終わりに得られた前記混合物からｎ−ヘプタノールを除去する工程Ｂ）は、一般に、当業者に知られている方法、例えば、蒸留、薄膜蒸留、分子蒸留または溶媒抽出により行われる。
【００２３】
このような製造方法は、必要な場合または所望される場合、中和、濾過または変色（discoloration）操作によって、完了することができる。
【００２４】
他の態様によれば、本発明の主題は、ハイドロトロープ界面活性剤としての、前記において定義した式（Ｉ）の化合物、または前記式（Ｉ）の化合物の混合物の使用である。
【００２５】
表現「ハイドロトロープ界面活性剤」は、前記ハイドロトロープ界面活性剤と、ある組成物の水相中に可溶にしようとする化合物とを混合することによって、ある組成物の水相中に低い溶解性を有するまたは不溶である化合物を、可溶にすることを可能にする界面活性剤を表す。
【００２６】
表現「水中に低い溶解性を有するまたは不溶である化合物」は、主としてまたは完全に水で構成される相に、アルカリ性作用物質および／または電解質および／または中性塩の存在において添加される場合、所望の温度で、明澄な、透明な、等方性の、均質かつ安定な溶液または組成物を得ることが可能とならない化合物を表す。水中で低溶解性を有するまたは不溶であるこれらの化合物の中で、例えば、油、精油、芳香剤、顔料、陰イオン性界面活性剤、陽イオン性界面活性剤、非イオン性界面活性剤および両性界面活性剤を挙げてもよい。中性塩の中では、塩化アンモニウム、アルカリ金属塩、例えば塩化ナトリウム、硫酸ナトリウムならびに硝酸ナトリウム、およびアルカリ土類金属塩、例えば、塩化カルシウムを挙げてもよい。
【００２７】
本発明の主題であるハイドロトロープ界面活性剤として使用され、前記において定義された、式（Ｉ）の化合物または式（Ｉ）の化合物の混合物は、化粧品、皮膚化粧品（dermocosmetic）、皮膚医薬（dermopharmaceutical）もしくは医薬組成物、または工業的もしくは家庭用の洗剤組成物中に取り入れることができる。
【００２８】
他の態様によれば、本発明の主題は、前記において定義した式（Ｉ）の化合物の使用であって、水性アルカリ性組成物中において、式（II）の、少なくとも１種の非イオン性界面活性剤：
Ｒ−（Ｏ−ＣＨ（Ｒ’）−ＣＨ2）n−（Ｏ−ＣＨ2−ＣＨ2）m−Ｏ−Ｈ  （II）
（式中、Ｒは、炭素原子８〜１４個を含む、直鎖または分枝の飽和または不飽和炭化水素系脂肪族ラジカルを表し、Ｒ’はメチルまたはエチルラジカルを表し、ｎは０以上かつ１５以下の整数を表し、ｍは０以上かつ１５以下の整数を表し、和ｎ＋ｍはゼロを超えると理解される）を可溶性とする作用物質としての使用である。
【００２９】
表現「水性アルカリ性組成物」は、７を超えるｐＨ値を有する任意の水性組成物を表している。
【００３０】
表現「任意に１つ以上のヒドロキシル基で置換されていてもよい、炭素原子８〜１４個を含む直鎖または分枝の飽和または不飽和炭化水素系脂肪族ラジカル」は、式（II）中のＲラジカルが、
−  式（１）のイソアルカノールに由来するラジカル
（ＣＨ3）（ＣＨ3）ＣＨ−（ＣＨ2）r−ＣＨ2−ＯＨ      （１）
（式中ｒは、４〜１０の整数を表す）、例えば、イソオクチルラジカル、イソノニルラジカル、イソデシルラジカル、イソウンデシルラジカル、イソドデシルラジカル、イソトリデシルラジカルまたはイソテトラデシルラジカル、
−  ２−エチルヘキシルラジカルまたは、式（２）のゲルベ（Guerbet）アルコールに由来する分枝アルキルラジカル
ＣＨ（ＣsＨ2s+1）（ＣtＨ2t+1）−ＣＨ2−ＯＨ      （２）
（式中ｔは４〜１０の整数であり、ｓは２〜１０の整数であり、和ｓ＋ｔは６以上かつ１２以下である）、例えば、２−エチルデシルラジカル、２−ブチルオクチルラジカル、２−エチルドデシルラジカル、２−ブチルデシルラジカル、２−ヘキシルオクチルラジカル、２−ブチルデシルラジカルもしくは２−ヘキシルオクチルラジカル、またはゲルベアルコールの同族体に由来するラジカル、例えば２−プロピルヘプチルラジカル、
−  式（３）の分枝アルコールに由来するラジカル
ＣＨ3−［ＣＨ（Ｒ”）］z−ＣＨ2−ＯＨ      （３）
（式中Ｒ”は、水素原子またはメチルラジカルを表し、そしてｚは、３以上かつ１５以下の整数を表す）、
−  不飽和直鎖ラジカル、例えばウンデセニルラジカル、ドデセニルラジカルまたはテトラデセニルラジカルなど、例えば、１０−ウンデセニル不飽和ラジカル、４−ドデセニル不飽和ラジカルまたは５−ドデセニル不飽和ラジカル、
−  炭素原子８〜１４個を含む、直鎖または分枝の飽和または不飽和脂肪族ラジカルであり、１つもしくは２つのヒドロキシル基、例えばヒドロキシオクチル、ヒドロキシデシルもしくはドロキシドデシルラジカルなどで置換されているラジカル、例えば８−ヒドロキシオクチル、１０−ヒドロキシデシル、または１２−ヒドロキシドデシルラジカル
と定義されることを示している。
【００３１】
本発明の特定の態様によれば、その主題は、式（Ｉ）の化合物の使用であって、アルカリ性組成物中において、前記において定義した式（II）の少なくとも１種の非イオン性界面活性剤（式中、Ｒラジカルは、オクチル、デシル、ドデシル、テトラデシル、２−エチルヘキシル、２−ブチルオクチル、２−ブチルデシル、２−ヘキシルオクチル、イソオクチル、イソノニル、イソデシル、イソウンデシル、イソドデシル、イソトリデシル、イソテトラデシルまたは２−プロピルヘプチルラジカルから選択されるラジカルを表す）を可溶性とするための使用である。
【００３２】
本発明のより特定の態様によれば、その主題は、式（Ｉ）の化合物の使用であって、アルカリ性組成物中において、前記において定義した式（II）の少なくとも１種の非イオン性界面活性剤（式中、ｎは０以上かつ６以下であり、より詳細には０以上かつ３以下であり、そしてより一層詳細には０以上かつ２以下である整数を表す）を可溶性とするための使用である。
【００３３】
本発明のより特定の態様によれば、その主題は、式（Ｉ）の化合物の使用であって、アルカリ性組成物中において、前記において定義した式（II）の少なくとも１種の非イオン性界面活性剤（式中、ｍは、１以上かつ９以下であり、より詳細には２以上かつ４以下である整数を表す）を可溶性とするための使用である。
【００３４】
式（II）の化合物（式中、Ｒ’はメチルまたはエチルラジカルを表し、そしてｎは、１以上の整数を表す）は、必要な場合、工程ａ）のアルコキシル化を含む方法であり、アルコキシル化が、ｎモル当量のアルキレンオキシドまたはアルキレンカルボナートを、１モル当量の式（IV）のアルコール
Ｒ−ＯＨ      （IV）
（式中、Ｒラジカルは、上記において定義した、任意に１つ以上のヒドロキシル基で置換されていてもよい、炭素原子８〜１４個を含む直鎖または分枝の、飽和または不飽和炭化水素系脂肪族ラジカルを表す）
と反応させて、式（Ｖ）のアルコキシル化アルコール
Ｒ−（Ｏ−ＣＨ（Ｒ’）−ＣＨ2）n−Ｏ−Ｈ      （Ｖ）
（式中、Ｒ’はメチルまたはエチルラジカルを表す）
を得ることによる方法、および／または、必要な場合、工程ｂ）のエトキシル化を含む方法であり、エトキシル化が、工程ａ）の終わりに得られる式（Ｖ）のアルコキシル化アルコール１モル当量を、ｍモル当量のエチレンオキシドまたはエチレンカルボナートと反応させることによる方法により製造される。
【００３５】
上述の式（II）の化合物を製造する方法の工程ａ）において、アルキレンオキシドは、プロピレンオキシドおよびブチレンオキシドから構成される群の要素から選択され、そしてアルキレンカーボネートは、プロピレンカーボネートおよびブチレンカーボネートから構成される群の要素から選択される。
【００３６】
ｎが０に等しい式（II）の化合物は、工程ａ’）のエトキシ化を実行する方法であり、ｍモル当量のエチレンオキシドまたはエチレンカーボネートを、上記において定義した式（ＩＶ）のアルコールと反応させることによる方法によって、製造される。
【００３７】
上述の方法において、ｎおよびｍは、式（II）の化合物の定義において上記において記述した整数を表す。
【００３８】
上記において定義した、工程ａ）のアルコキシ化反応、および工程ａ’）ならびにｂ）のエトキシ化反応は、一般に反応器内で、塩基性触媒、例えば、アルカリ金属水酸化物、例えば水酸化ナトリウムもしくは水酸化カリウム、アルカリ金属アルコキシド、例えばナトリウムメトキシドもしくはカリウムメトキシド、ナトリウムｔｅｒｔ−ブチラートもしくはカリウムｔｅｒｔ−ブチラート、ルイス塩基、例えばトリフェニルホスフィン、または配位触媒、例えばコバルト−および／もしくは亜鉛系有機金属錯体などの存在において、あるいは、酸性触媒、例えばルイス酸、例えば三フッ化ホウ素、三塩化アルミニウムまたは四塩化スズなどの存在において実施される。
【００３９】
このような式（II）の化合物の製造方法は、必要な場合もしくは所望される場合、中和、脱塩、濾過または退色操作により、完了することができる。
【００４０】
本発明の他の特定の態様により、その主題は、上記において定義した式（II）の少なくとも１種の非イオン性界面活性剤を、水性アルカリ性組成物中において可溶性とするための、式（Ｉ）の化合物の使用であり、この際、式（Ｉ）の化合物と式（II）の化合物との間の重量比は９／１以下かつ１／４以上である。
【００４１】
本発明の他のより特定の態様により、その主題は、上記において定義した式（II）の少なくとも１種の非イオン性界面活性剤を、水性アルカリ性組成物中において可溶性とするための、式（Ｉ）の化合物の使用であり、この際、式（Ｉ）の化合物と式（II）の化合物との間の重量比は４／１以下かつ１／４以上であり、より詳細には３／１以下かつ１／３以上であり、そしてより一層詳細には２／１以下かつ１／２以上である。
【００４２】
他の態様により、本発明の主題は、組成物（Ｃ1）であって、その重量１００％に対して、
ａ）重量で０．５％〜２０％の、より詳細には重量で０．５％〜１５％の、そしてより一層詳細には重量で０．５％〜１０％の、上で定義した少なくとも１種の式（Ｉ）の化合物と、
ｂ）重量で０．５％〜８０％の、より詳細には重量で０．５％〜５０％の、そしてより一層詳細には重量で０．５％〜３５％の、少なくとも１種の式（II）の非イオン性界面活性剤
Ｒ−（Ｏ−ＣＨ（Ｒ’）−ＣＨ2）n−（Ｏ−ＣＨ2−ＣＨ2）m−Ｏ−Ｈ  （II）
（式中、Ｒは、炭素原子８〜１４個を含む、直鎖または分枝の飽和または不飽和炭化水素系脂肪族ラジカルを表し、Ｒ’はメチルまたはプロピルラジカルを表し、ｎは０以上かつ１５以下の整数を表し、ｍは０以上かつ１５以下の整数を表し、和ｎ＋ｍはゼロを超えると理解される）
と、
ｃ）重量で１０％〜５０％の、より詳細には重量で２０％〜５０％の、そしてより一層詳細には重量で２０％〜５０％の、アルカリ金属水酸化物またはアルカリ土類金属水酸化物で構成される群の要素から選択される少なくとも１種のアルカリ性作用物質と、
ｄ）重量で１５％〜８９％の、より詳細には重量で１５％〜５０％の、そしてより一層詳細には重量で２０％〜５０％の水と、そして任意に、
ｅ）重量で１０％〜５０％の、より詳細には重量で２０％〜５０％の、そしてより一層詳細には重量で３０％〜５０％の、少なくとも１種の水軟化剤と
を含む組成物（Ｃ1）である。
【００４３】
本発明の主題である組成物（Ｃ1）において、アルカリ性作用物質は、アルカリ金属水酸化物またはアルカリ土類金属水酸化物、例えば、水酸化ナトリウム、水酸化カリウム、水酸化バリウムおよび水酸化カルシウムで構成される群の要素から選択される。
【００４４】
より一層特定的な態様により、本発明の主題である組成物（Ｃ1）において、アルカリ性作用物質は、水酸化ナトリウムおよび水酸化カリウムからなる群の要素から選択される。
【００４５】
本発明の主題である組成物（Ｃ1）において、任意の水軟化剤は、金属イオン封鎖剤、例えば、トリポリリン酸ナトリウム（ＴＰＰ）、エチレンジアミン四酢酸塩（ＥＤＴＡ）、テトラアセチルエチレンジアミン（ＴＡＥＤ）、グリシン二酢酸メチル（ＭＧＤＡ）、ニトリロトリ酢酸ナトリウム（Ｎａ3ＮＴＡ）、グルコン酸ナトリウム、グルコン酸カリウム、エリソルビン酸ナトリウム、エリソルビン酸カリウム、ポリカルボン酸ナトリウム、ポリカルボン酸カリウムおよびクエン酸ナトリウムから、イオン交換剤、例えば、ナトリウムゼオライトもしくはアルミノケイ酸塩、または層状ケイ酸ナトリウム、沈殿剤、例えば、炭酸カルシウムおよびメタケイ酸ナトリウムから構成される群の要素から選択される。
【００４６】
金属イオン封鎖剤、より詳細には上述の金属イオン封鎖剤は、水溶性錯体を形成するように、カルシウムおよびマグネシウムイオンの錯体を形成する効果を有し、水溶性錯体はその後、すすぎの間に除去される。
【００４７】
イオン交換剤、より詳細には上述のイオン交換剤は、それらのナトリウムイオンを、カルシウムおよびマグネシウムイオンと交換する効果を有する。
【００４８】
沈殿剤、より詳細には上述の金属イオン封鎖剤は、不溶性カルシウム化合物を生成させることによって、水の硬度の原因であるイオンを除去する効果を有し、不溶性カルシウム化合物はその後、洗浄した表面上の汚れと一緒に除去される。
【００４９】
より特定的な態様により、本発明の主題である組成物（Ｃ1）において、任意の水軟化剤は、メタケイ酸ナトリウム、トリポリリン酸ナトリウム（ＴＰＰ）、エチレンジアミン四酢酸塩（ＥＤＴＡ）、テトラアセチルエチレンジアミン（ＴＡＥＤ）、グリシン二酢酸メチル（ＭＧＤＡ）、ニトリロ三酢酸ナトリウム（Ｎａ3ＮＴＡ）、グルコン酸ナトリウム、クエン酸ナトリウムおよび炭酸カルシウムからなる群の要素から選択される。
【００５０】
特定的な一態様により、本発明の主題である組成物（Ｃ1）において、式（II）の化合物と式（Ｉ）の化合物との間の重量比は９／１以下かつ１／４以上であり、より詳細には４／１以下かつ１／４以上であり、より詳細には３／１以下かつ１／３以上であり、そしてより一層詳細には２／１以下かつ１／２以上である。
【００５１】
他の態様により、本発明の主題は、硬質な表面を洗浄するための、上記において定義した組成物（Ｃ1）の使用である。
【００５２】
表現「硬質な表面を洗浄する」は、種々の材料からなる表面上に存在する汚れを除去することを可能にする意図の任意の作用を表している。洗浄しようとする表面は、硬質な表面または布地表面とすることができる。用語「硬質な表面」は、例えば、床、壁、窓ガラス、タイル、家庭電気器具、陶磁器、ワークトップ、蛇口、流し；薬品、食物または農産物貯蔵槽；車両（自動車、オートバイ、トラックなど）を示す。
【００５３】
これらの硬質な表面を構成する材料は、例えば、ガラス（ソーダ石灰ガラス、フッ化カルシウムガラス、ホウケイ酸ガラス、クリスタル）、磁器、陶器、セラミック、ポリカーボネートプラスチック、ポリプロピレン、ステンレス鋼、銀、銅、アルミニウム、木材、合成樹脂、ガラス質セラミックおよびリノリウムであり、ペイントまたはワニスで被覆することができる。
【００５４】
これらの硬質な表面上に存在し、洗浄によって除去しようとする汚れの一例として、例えば、食物残渣、脂肪、重質および軽質炭化水素、燃えがら、粉じん、汚泥、指紋、石鹸残留物、ならびに微生物を挙げてもよい。
【００５５】
本発明の主題である組成物（Ｃ1）は、詳細には、溶液、水性連続相を含むエマルジョンもしくはマイクロエマルジョン、油性連続相を含むエマルジョンもしくはマイクロエマルジョン、ゲル、泡の形態にあり、さもなければエアロゾルの形態にある。
【００５６】
本発明の主題である組成物（Ｃ1）は、洗浄しようとする表面に直接振りかけることまたは吹き付けることによって、さもなければ、洗浄しようとする硬質な表面に接触させることを意図した、前記組成物（Ｃ1）を含む、任意の種類の支持物（紙、ワイプ、布地）によって塗布することができる。
【００５７】
硬質な表面を洗浄するために使用される、本発明の主題である組成物（Ｃ1）は、一般に９を超える、好ましくは１１を超える、そしてより詳細には１３を超えるｐＨを有する。
【００５８】
一般に、本発明の主題である組成物（Ｃ1）は、硬質な表面の洗浄の分野で通常使用される成分、例えば、非イオン性界面活性剤、陽イオン性界面活性剤、カチオンポリマー、増粘剤、酵素、漂白剤、腐食防止剤、保存剤、芳香剤、染料または防虫剤をも含む。
【００５９】
本発明の主題である組成物（Ｃ1）中に存在する非イオン性界面活性剤の例として、下記を挙げることができる。
【００６０】
−  エチレンオキシドとプロピレンオキシドとのブロックコポリマー、そして最も詳細には、ＢＡＳＦ社により商標名Ｐｌｕｒｏｎｉｃ（商標）のもとに販売されているエチレンオキシドとプロピレンオキシドとのブロックコポリマー、例えば、Ｐｌｕｒｏｎｉｃ（商標）ＰＥ６１００およびＰｌｕｒｏｎｉｃ（商標）ＰＥ６２００、
−  式（Ａ1）の脱泡性非イオン性界面活性剤
Ｒ1−Ｘ−[(ＣＨ2−ＣＨ(ＣＨ3)−Ｏ)ｕ−(ＣＨ2−ＣＨ2−Ｏ)ｖ−Ｙ]ｗ      （Ａ１）
（式中、
−  Ｒ1は、炭素原子６〜１８個を含む、直鎖または分枝の飽和または不飽和炭化水素系脂肪族ラジカルを表し、
−  Ｘは、窒素原子または酸素原子を表し、
−  ｖは、整数１〜５０を表し、
−  ｕは、整数１〜５０を表し、
−  ｗは、Ｘが酸素原子を表す場合は１に等しい整数を表し、そしてＸが窒素原子を表す場合には１または２に等しい整数を表し、
−  Ｙは、炭素原子４〜８個を含む直鎖アルキルラジカルで構成される群の要素から選択されるブロック用官能基、例えばブチルラジカル、ベンジルラジカルまたはブチレンオキシド基を表す）。
【００６１】
式（Ａ1）の脱泡性非イオン性界面活性剤の中で、Ｄｏｗ  Ｃｈｅｍｉｃａｌ社により商標名Ｔｅｒｇｉｔｏｌ（商標）のもとに販売されている製品、例えば、Ｔｅｒｇｉｔｏｌ（商標）Ｌ６１ＥおよびＴｅｒｇｉｔｏｌ（商標）Ｌ６４Ｅを挙げることができる。
【００６２】
−  式（Ａ2）の低発泡性非イオン性界面活性剤
Ｒ2−Ｏ−（Ｓ）q−Ｈ      （Ａ2）
（式中、
−  Ｓは、グルコース、キシロースおよびアラビノースで構成される群の要素から選択される還元糖の残基を表し、
−  Ｒ2は、炭素原子６〜１０個を含む、直鎖または分枝した飽和炭化水素系ラジカルを表し、
−  ｑは、１．０５以上かつ５以下の小数を表す）。
【００６３】
本発明の主題である組成物（Ｃ1）中に存在する式（Ａ2）の低発泡性非イオン性界面活性剤の例として、ヘキシルポリグルコシドおよび２−エチルポリグルコシドを挙げることができる。
【００６４】
本発明の主題である組成物（Ｃ1）中に存在する増粘剤の例として、ポリマー質増粘剤、例えば分子量１モル当り５０００００〜４００００００グラム、より詳細には１モル当り１００００００〜４００００００グラムを有し、架橋度０．５モル％〜４モル％のポリカルボキシレートであり、商標名Ｃａｒｂｏｐｏｌ（商標）、Ａｃｒｙｓｏｌ（商標）ＩＣＳ−１およびＳｏｋａｌａｎ（商標）のもとに販売されているものなどを挙げることができる。好ましいポリカルボキシレートは、アクリル酸のエチレンとの、プロピレンもしくはマレイン酸とのコポリマーであるポリアクリレートである。
【００６５】
本発明の主題である組成物（Ｃ1）中に存在する増粘剤の例として、ポリマー質増粘剤、例えばアクリルアミドホモポリマー、またはアクリルアミドと、２−アクリルアミド−２−メチルプロパンスルホン酸のナトリウム塩とのコポリマーなど、例えば、商標名Ｓｏｌａｇｕｍ（商標）のもとにＳＥＰＰＩＣ社によって販売されている増粘剤を挙げることができる。
【００６６】
本発明の主題である組成物（Ｃ1）中に存在する増粘剤の例として、無機増粘剤、例えば、粘土、モンモリロナイト（またはベントナイト）、ボルコンスコアイト（volkonskoite）、スメクタイト、ノントロナイト、バイデライト、ヘクトライト、サポナイト、ソーコナイトまたはバーミキュライトを挙げることができる。
【００６７】
本発明の主題である組成物（Ｃ1）中に存在する増粘剤は、重量で０．１％〜１０％の量で使用される。
【００６８】
本発明の主題である組成物（Ｃ1）中に存在する研磨剤の例として、天然由来の材料、例えば、木材もしくは堅果削り屑、無機研磨材料、例えば酸化物、炭酸塩、石英、珪藻土もしくはコロイドシリカ二酸化物など、有機研磨材料、例えばポリオレフィン、例えばポリエチレンおよびポリプロピレンなど、ポリエステル、ポリスチレン、アセトニトリル−ブタジエン−スチレン樹脂、メラミン、ポリカーボネート、フェノール樹脂、エポキシ樹脂ならびにポリウレタン樹脂を挙げることができる。
【００６９】
本発明の主題である組成物（Ｃ1）中に存在する研磨剤は、重量で５．０％〜３０％の量で使用される。
【００７０】
本発明の主題である組成物（Ｃ1）中に存在する酵素の例として、プロテアーゼ、リパーゼおよびアミラーゼを挙げることができる。
【００７１】
本発明の主題である組成物（Ｃ1）中に存在する漂白剤の例として、次亜塩素酸ナトリウム、過酸素化化合物、例えば、過炭酸ナトリウム、および過ホウ酸塩を挙げてもよい。
【００７２】
他の態様により、本発明の主題は、硬質な表面の洗浄方法であって、上記において定義した組成物（Ｃ1）を、前記硬質な表面に塗布する少なくとも１つの工程ａ1）と、それに続く、前記硬質な表面をすすぐ少なくとも１つの工程ｂ1）とを含む方法である。
【００７３】
本発明の主題である洗浄方法の工程ａ1）において、組成物（Ｃ1）は、洗浄しようとする汚れを含む表面に、任意の手段によって、例えば、開放浴（open bath）中において、振りかけることによって、あるいは前記組成物（Ｃ1）を予め含浸させた合成もしくは天然の、織布もしくは不織布繊維または紙からなる支持物を介した塗布によって、洗浄しようとする、汚れを含む表面に塗布される。
【００７４】
本発明の主題である洗浄方法の工程ｂ1）において、工程ａ1）の間に組成物（Ｃ1）が塗布された硬質な表面のすすぎは、開放浴中において、または散水することによって行われる。
【００７５】
本発明の主題である洗浄方法の工程ｂ1）は、周囲温度で、または温度３０℃〜８０℃で、より詳細には温度３０℃〜６５℃で行うことができる。
【００７６】
下記の例は、本発明を例示するが、本発明を制約するものではない。
【００７７】
１）本発明の主題である式（Ｉ）の化合物の製造、およびそれらの界面活性剤特性の評価
１．１）ｎ−ヘプチルポリグルコシドの製造
２．７モル当量のｎ−ヘプタノールを、二重ジャケット付きガラス反応器に導入し、その中では４０℃において伝熱流体が循環し、そして反応器には有効な撹拌機が取り付けられている。次いで、１モル当量の無水グルコースを反応媒体に徐々に添加して均質に分散させ、次いで、グルコースの重量およびｎ−ヘプタノールの重量の合計により構成される重量１００％に対して、０．１５質量％の９８％硫酸および０．１５質量％の５０％次亜リン酸を、前記において製造した均質な分散液中に混和する。反応媒体を約１８０ミリバールの部分真空下に置き、温度１００℃〜１０５℃で４時間保持し、蒸留装置によって生成した水を除去している。次いで反応媒体を８５℃〜９０℃に冷却し、４０％水酸化ナトリウムを添加して、この混合物の５％溶液のｐＨを約７．０の値にすることによって中和する。得られた反応媒体は、次いで、反応していないグルコース粒を除去するため、温度７０℃で全部排出し、濾過する。次いで濾液を、二重ジャケット付きガラス反応器に導入し、その中では伝熱流体が循環し、効率的な撹拌機および蒸留装置が取り付けられている。次いで、約１００ミリバール〜５０ミリバールの部分真空下において温度１２０℃で蒸留することによって、過剰のヘプタノールを除去する。こうして蒸留した反応媒体は、反応媒体の濃度が約６０％に達するような水量を添加して、直ちに希釈する。温度５０℃で３０分間均質にした後、得られた組成物（Ｘ0）を全部取り出す。
【００７８】
ｎ−ヘプチルポリグルコシドを含む、得られた組成物（Ｘ0）の分析特性を、以下の表１にまとめる。
【表１】
2013545844.tif 000003
【００７９】
１．２）ｎ−ヘプチルポリグルコシドの発泡性の評価
前述の方法により得られたｎ−ヘプチルポリグルコシドの組成物（Ｘ0）の発泡性を、窒素バブリングによる静的方法により評価し、従来技術の可溶化組成物、すなわち：
−  Ａｋｚｏ  Ｎｏｂｅｌ社により商標名ＡＧ  ６２０６のもとに販売されているｎ−ヘキシルポリグルコシドの組成物（組成物Ｘ1）、
−  Ａｋｚｏ  Ｎｏｂｅｌ社により商標名ＡＧ  ６２０２のもとに販売されている２−エチルヘキシルポリグルコシドの組成物（組成物Ｘ2）、
−  ＳＥＰＰＩＣ社により商標名Ｓｉｍｕｌｓｏｌ（商標）ＳＬ８のもとに販売されているｎ−オクチルポリグルコシド／ｎ−デシルポリグルコシドの組成物（組成物Ｘ3）、
−  ＩＭＣＤ  Ｆｒａｎｃｅ社により商標名Ｅｌｔｅｓｏｌ（商標）ＳＣ  Ｐｅｌｌｅｔｓのもとに販売されているクメンスルホン酸ナトリウム（組成物Ｘ4）
と比較した。
【００８０】
１．２．１）発泡力を評価するための窒素バブリングによる静的方法の原理
特定の温度で、一定濃度の界面活性剤の溶液中に、一定量の水酸化ナトリウムの存在において、所定体積の窒素を導入することによって、泡を形成する。その体積の窒素を導入することによって発生する泡の体積を、前記体積の窒素を導入した完了時に測定し、次いで、その体積の窒素を導入した完了時に続く３０秒の時点で、次いで１２０秒の時点で測定する。
【００８１】
１．２．２）実験プロトコル
試験される組成物の、乾燥抽出物に関して、５ｇ／ｌの溶液５ｃｍ3を、１２．５グラムの量の水酸化ナトリウムと一緒に、定温制御された２５０ｃｍ3目盛付き測定シリンダーに投入する。測定は、２０℃および６０℃で行った。ガス計量分配用フィンガー（気孔率３を有する（Ｃｏｒｎｉｎｇ  Ｐｙｒｅｘ（登録商標）８５３−１参照））を、その焼結ノズルの端部が、測定シリンダーの底部から１センチメートルであるような形で位置決めする。次いで、窒素流速５０  ｌ／ｈに正確に調整し、１５秒間スパージする。この期間の後、窒素の供給を止め、実験者は、最初の泡体積を記録し、そして３０秒後および１２０秒後にも泡体積を記録する。１つの同一の界面活性剤溶液について、異なる測定シリンダーで少なくとも２回の試験を行って、同等の結果が得られた。
【００８２】
１．２．３）結果の表示
目盛付き測定シリンダーにおいて、最初に観察した、次いで３０秒および１２０秒において観察した泡体積の結果を、ｃｍ3で表している。
【００８３】
１．２．４）従来技術の化合物を含む組成物（Ｘ1）、（Ｘ2）、（Ｘ3）および（Ｘ4）の発泡力と比較した、本発明による式（Ｉ）の化合物を含む組成物（Ｘ0）の発泡力の特性評価
１．２．４．１）得られた結果
本出願の１．２．２節において記述した実験プロトコルを、本出願の１．１節において記述した方法により得られたｎ−ヘプチルポリグルコシドの組成物（組成物Ｘ0）について、そして前述の組成物（Ｘ1）、（Ｘ2）、（Ｘ3）および（Ｘ4）について実行した。
【００８４】
実験的測定は、それぞれの上述の化合物について、２つの異なる温度：２０℃および６０℃で実行した。
【００８５】
所定体積の窒素の導入完了時（ｔ＝０）、その体積の窒素の導入完了の３０秒後（ｔ＝３０ｓ）およびその体積の窒素の導入完了の１２０秒後（ｔ＝１２０ｓ）それぞれの組成物およびそれぞれの温度について実験測定値を記録し、それぞれ２０℃および６０℃で実施した測定値を、以下の表２および３中に記載した。
【表２】
2013545844.tif 000004
【表３】
2013545844.tif 000005
【００８６】
１．２．４．２．結果の解析
本発明の主題である組成物（Ｘ0）は、２０℃において非常に不安定である泡の発生によって特徴付けられ、それは泡体積が、３０秒で、組成物（Ｘ1）についての９２．３％、組成物（Ｘ2）についての２５％、そして組成物（Ｘ3）についての１２％と比較すると、その最初の値の９５％だけ減少するからである。
【００８７】
６０℃において、本発明の主題であるｎ−ヘプチルポリグルコシドの組成物（Ｘ0）は、非常に不安定である泡の発生によって特徴付けられ、それは泡体積が、３０秒で、組成物（Ｘ2）についての５７．１％、そして組成物（Ｘ3）についての１４％と比較すると、その最初の値の１００％だけ減少するからである。６０℃において、組成物（Ｘ0）は、従来技術の組成物によって発生される泡体積よりも少ない泡体積の発生による。
【００８８】
１．３）ｎ−ヘプチルポリグルコシドの濡れ性の評価
前述の方法により得られた、ｎ−ヘプチルポリグルコシドの組成物（Ｘ0）の濡れ性を、規格ＩＳＯ  ８０２２、１９９０年版およびＮＦＴ  ７３４２０に適合した、綿ディスク（cotton disk）についての評価方法により評価した。
【００８９】
１．３．１）湿潤力を評価するための綿ディスクによる方法の原理
この方法の目的は、この場合原綿（raw cotton）である布製支持物で比較して、界面活性剤の濡れ性を測定することである。湿潤力は、限定された量の水酸化ナトリウムの存在において、規定された濃度の界面活性剤の溶液中に置いた原綿のディスクの濡れの持続時間の測定によって査定される。
【００９０】
１．３．２）実験プロトコル
蒸留水中における試験される化合物の、乾燥抽出物に関して、５ｇ／ｌの溶液７００ｃｍ3を、３５グラムの水酸化ナトリウムの存在において、所望の温度に定温制御されているビーカー内に入れる。規格ＮＦＴ  ７３−４０６に対応する（直径３０ｍｍ）、Ｍｏｒｔｅｌｅｃｑｕｅ社によって提供された、原綿のディスクを、この試験専用の浸漬用トングを使用して、前記で製造した溶液内に持ち込む。ディスクの下部が溶液に接触した瞬間にスタートし、ディスクが自力で溶液中に沈む瞬間にストップさせるストップウオッチを使用して、濡れの持続時間を実験的に測定して、濡れの持続時間を求める。それぞれの組成物について、同一の溶液で１０回連続の濡れ継続時間測定を行ったが、それぞれの測定後、使用済みの綿ディスクを捨てるように注意した。
【００９１】
１．３．３−結果の表示
湿潤力を、試験したそれぞれの組成物について行った１０回測定の平均に対応する持続時間ｔm（秒における）によって表している。
【００９２】
１．３．４）従来技術の化合物を含む組成物（Ｘ1）、（Ｘ2）、（Ｘ3）および（Ｘ4）の湿潤力と比較した、本発明による式（Ｉ）の化合物を含む組成物（Ｘ0）の湿潤力の特性評価
１．３．４．１．）得られた結果
本出願の１．３．２節において記述した実験プロトコルを、本出願の１．１節において記述した方法により得られたｎ−ヘプチルポリグルコシドの組成物（組成物Ｘ0）について、そして前述の組成物（Ｘ1）、（Ｘ2）、（Ｘ3）および（Ｘ4）について実行した。
【００９３】
実験的測定は、それぞれの上述の組成物について、２つの異なる温度：２０℃および６０℃で実行した。
【００９４】
２０℃および６０℃でそれぞれの組成物について測定した濡れ持続時間ｔmの実験的測定値を記録し、表４中に記載した。
【表４】
2013545844.tif 000006
【００９５】
１．３．４．２）結果の解析
２０℃において、本発明の主題であるｎ−ヘプチルポリグルコシドの組成物（Ｘ0）は、組成物（Ｘ1）および組成物（Ｘ4）の湿潤力と同等であるが、組成物（Ｘ2）および  の湿潤力よりも低い、低湿潤力によって特徴付けられる。
【００９６】
６０℃において、組成物（Ｘ0）の湿潤力は良好であり、一方、組成物（Ｘ1）および（Ｘ4）の湿潤力は低いままであり、そして組成物（Ｘ2）および（Ｘ3）の湿潤力は低くなる。
【００９７】
１．４）ナトリウム媒体中におけるｎ−ヘプチルポリグルコシドの可溶化特性の評価
前述の方法により得られた、ｎ−ヘプチルポリグルコシドの組成物（Ｘ0）の、ナトリウム媒体中における可溶化特性を、前述の従来技術組成物（Ｘ1）、（Ｘ2）、（Ｘ3）および（Ｘ4）と比較して、種々の非イオン性界面活性剤について、そして水酸化ナトリウムの種々の濃度で、以下に記述される評価方法により評価した。
【００９８】
１．４．１−可溶性にしようとする界面活性剤／可溶化用組成物のいくつかの重量比についての、ナトリウム媒体中における可溶化能力の評価
１．４．１．１−方法の原理
この方法の目的は、従来技術の界面活性剤組成物と比較して、一定としているナトリウム媒体中に不溶な非イオン性界面活性剤についての、ナトリウム媒体中におけるある界面活性剤組成物の可溶化能力を測定することである。
【００９９】
１．４．１．２−実験プロトコル
１グラムの量の、可溶性にしようとする非イオン性界面活性剤（Ｔｉ）と、ｘ1グラムの量の、試験される可溶化用界面活性剤組成物（Ｘｉ）と、ｙ1グラムの量の水酸化ナトリウムと、１００ｃｍ3の溶液を得る体積を構成する蒸留水量とを、１２０ｃｍ3ガラスフラスコ中に投入する。磁化した磁気棒をガラスフラスコに入れ、次いでこれを、温度２０℃において１時間、１００回転／分の速度で磁気撹拌する。
【０１００】
１．４．１．３−結果の表示
実験者は、本出願の１．４．１．２節のプロトコルにより得られた溶液の目視による外観を記録し、「清澄（ｃｌｅａｒ）」または「曇っている（ｃｌｏｕｄｙ）」が適正であるとして評価している。
【０１０１】
１．４．１．４−従来技術の化合物を含む組成物（Ｘ1）、（Ｘ2）、（Ｘ3）および（Ｘ4）の可溶化能力と比較した、本発明による式（Ｉ）の化合物を含む組成物（Ｘ0）の、ナトリウム媒体中における可溶化能力の特性評価
得られた結果
本出願の１．４．１．２節において記述した実験プロトコルを、本発明による組成物（Ｘ0）について、そして可溶化用の従来技術の界面活性剤組成物（Ｘ1）、（Ｘ2）、（Ｘ3）および（Ｘ4）について実行した。
【０１０２】
本出願の１．４．２節において記述した実験プロトコルを、下記の非イオン性界面活性剤（Ｔｉ）について実行した：
−  ポリエトキシ化アルコールの組成物（Ｔ１）であり、ＳＥＰＰＩＣ社により商標名Ｓｉｍｕｌｓｏｌ（商標）ＯＸ１００４Ｌのもとに販売され、１モル当量の、Ｅｘｘｏｎｍｏｂｉｌ社により商標名Ｅｘｘａｌ（商標）１０（ＣＡＳ番号：６８５２６−８５−２）のもとに販売され、ｎ−ノナノール、ｎ−デカノール、ｎ−ウンデカノール、イソノナノール、イソデカノールおよびイソウンデカノールの混合物を含むアルコールの、４モル当量のエチレンオキシドとの反応から得られる組成物（Ｔ１）、
−  ポリエトキシ化アルコールの組成物（Ｔ２）であり、ＳＥＰＰＩＣ社により商標名Ｓｉｍｕｌｓｏｌ（商標）ＯＸ１００６Ｌのもとに販売され、１モル当量の、Ｅｘｘｏｎｍｏｂｉｌ社により商標名Ｅｘｘａｌ（商標）１０（ＣＡＳ番号：６８５２６−８５−２）のもとに販売され、ｎ−ノナノール、ｎ−デカノール、ｎ−ウンデカノール、イソノナノール、イソデカノールおよびイソウンデカノールの混合物を含むアルコールの、６モル当量のエチレンオキシドとの反応から得られる組成物（Ｔ２）、
−  ポリエトキシ化アルコールの組成物（Ｔ３）であり、ＳＥＰＰＩＣ社により商標名Ｓｉｍｕｌｓｏｌ（商標）ＯＸ１３０９Ｌのもとに販売され、１モル当量の、Ｅｘｘｏｎｍｏｂｉｌ社により商標名Ｅｘｘａｌ（商標）１３（ＣＡＳ番号：６８２５６−８６−３）のもとに販売され、ｎ−ウンデカノール、ｎ−ドデカノール、ｎ−トリデカノール、ｎ−テトラデカノール、イソウンデカノール、イソドデカノールおよびイソトリデカノールの混合物を含むアルコールの、９モル当量のエチレンオキシドとの反応から得られる組成物（Ｔ３）、
−  ポリエトキシ化アルコールの組成物（Ｔ４）であり、塩基性触媒として水酸化カリウムの存在において、１モル当量のｎ−デカノールと、４モル当量のエチレンオキシドとの間の反応により製造される組成物（Ｔ４）。
【０１０３】
実験的測定は、種々の量ｙ1の水酸化ナトリウムの存在において、重量含量１０％、２０％、３０％および４８％を得るように、それぞれの量ｘ1の、試験した種々の可溶化用組成物（Ｘ0）、（Ｘ1）、（Ｘ2）、（Ｘ3）および（Ｘ4）について、ならびにそれぞれの非イオン性界面活性剤（Ｔ１）、（Ｔ２）、（Ｔ３）および（Ｔ４）について上述のように実行した。試験される種々の可溶化用組成物（Ｘ0）、（Ｘ1）、（Ｘ2）、（Ｘ3）および（Ｘ4）の量ｘ1は、１／１、１／２および１／５に等しい組成物（Ｔｉ）／組成物（Ｘｉ）（Ｔｉ／Ｘｉ）の重量比が達成されるように測定している。
【０１０４】
それぞれの組成物（Ｘ0）、（Ｘ1）、（Ｘ2）、（Ｘ3）および（Ｘ4）について、組成物（Ｔ１）、（Ｔ２）、（Ｔ３）および（Ｔ４）を可溶性にするため使用された操作プロトコルを実行することによって、製造した溶液の外観を、実験者は記録し、以下の表５、６、７および８中にそれぞれ記載した。
【表５】
2013545844.tif 000007
【表６】
2013545844.tif 000008
【表７】
2013545844.tif 000009
【表８】
2013545844.tif 000010
【０１０５】
結果の解析
低い発泡力によって特徴付けられる組成物、すなわち組成物（Ｘ0）、組成物（Ｘ1）および組成物（Ｘ4）について観察される可溶化性能レベル間の比較では、製造したアルカリ性洗浄剤溶液中に存在する水酸化ナトリウムの量にかかわらず、本発明の主題であるｎ−ヘプチルポリグルコシドを含む組成物（Ｘ0）が、組成物（Ｘ1）で観察される可溶化能力を超える可溶化能力によって特徴付けられることが示される。組成物（Ｘ0）と、組成物（Ｘ2）との間について観察される、可溶化性能レベル間の比較では、組成物（Ｘ0）が、組成物（Ｘ2）の可溶化能力を超える可溶化能力によって特徴付けられることが示される。
【０１０６】
１．４．２−可溶にしようとする界面活性剤の一定量を可溶性にする、可溶化用組成物の最小量を測定することによる、ナトリウム媒体中における可溶化能力の評価
１．４．２．１−方法の原理
この方法の目的は、従来技術の界面活性剤組成物と比較して、一定としているナトリウム媒体中に不溶な非イオン性界面活性剤についての、ナトリウム媒体中におけるある界面活性剤組成物の可溶化能力を測定することである。
【０１０７】
この方法において、ナトリウム媒体中に不溶な非イオン性界面活性剤の量は、選択されたそれぞれの水性ナトリウム媒体の重量１００％当り５％に固定され、実験者は、可溶化用界面活性剤組成物を徐々に添加することによって、明澄なナトリウム溶液を得るためのその組成物の最小量を測定する。この方法は、本発明による組成物について、そして従来技術の界面活性剤組成物について行われる。
【０１０８】
１．４．２．２−実験プロトコル
５グラムの量の、可溶性にしようとする非イオン性界面活性剤（Ｔｉ）と、９５グラムの量の、蒸留水およびｙ1グラムの水酸化ナトリウムからなる混合物とを、１２０ｃｍ3ガラスフラスコ中に投入する。
【０１０９】
磁化した磁気棒をそのガラスフラスコ中に入れ、次いでこれを、温度２０℃において１時間、１００回転／分の速度で磁気撹拌する。
【０１１０】
次いで、試験される可溶化用界面活性剤組成物（Ｘｉ）を徐々に投入し、実験者は、清澄なナトリウム水溶液を得るために必要な前記可溶化用界面活性剤組成物（Ｘｉ）の最小量ｘ1グラムを測定する。
【０１１１】
１．４．２．３−結果の表示
本出願の１．４．２．２節のプロトコルにより得られた溶液の目視による外観が明澄である場合、実験者は、この清澄な外観を達成するために、添加された可溶化用界面活性剤組成物（Ｘｉ）の量ｘ1を記録する。
【０１１２】
１．４．２．４−従来技術の化合物を含む組成物（Ｘ1）、（Ｘ2）および（Ｘ3）の可溶化能力と比較した、本発明による式（Ｉ）の化合物を含む組成物（Ｘ0）の、ナトリウム媒体中における可溶化能力の特性評価
得られた結果
本出願の１．４．２．２節において記述した実験プロトコルを、可溶化用界面活性剤組成物（Ｘ0）、（Ｘ1）、（Ｘ2）ならびに（Ｘ3）について、および以下において記述される非イオン性界面活性剤組成物（Ｔ５）ならびに（Ｔ６）について実行した：
−  ポリエトキシ化アルコールの組成物（Ｔ５）であり、塩基性触媒として水酸化カリウムの存在において、１モル当量の、その重量１００％に対して５０重量％のｎ−オクタノールおよび５０重量％のｎ−デカノールを含む混合物と、４モル当量のエチレンオキシドとの間の反応により製造される組成物（Ｔ５）、
−  ポリエトキシ化アルコールの組成物（Ｔ６）であり、塩基性触媒として水酸化カリウムの存在において、１モル当量の、その重量１００％に対して８５重量％のｎ−デカノールおよび１５重量％のｎ−ドデカノールを含む混合物と、４モル当量のエチレンオキシドとの間の反応により製造される組成物（Ｔ６）。
【０１１３】
実験的測定は、種々の量ｙ1の水酸化ナトリウムの存在において、１．４．２．２節において記述される実験プロトコルにより実行して、それぞれの組成物（Ｔ５）および（Ｔ６）について水酸化ナトリウム含有量１０重量％および４０％を得た。
【０１１４】
実験者は、明澄な溶液を得るために必要とされる組成物（Ｘ0）、（Ｘ1）、（Ｘ2）および（Ｘ3）の最小量を記録し、以下の表９中に記載した。
【表９】
2013545844.tif 000011
【０１１５】
結果の解析
低い発泡力によって特徴付けられる組成物、すなわち組成物（Ｘ0）および組成物（Ｘ1）について観察される可溶化性能レベル間の比較は、製造したアルカリ性洗剤溶液中に存在する水酸化ナトリウムの量が何であっても、本発明の主題であるｎ−ヘプチルポリグルコシドを含む組成物（Ｘ0）が、組成物（Ｘ1）で観察される可溶化能力を超える可溶化能力によって特徴付けられることが示される。組成物（Ｘ0）および組成物（Ｘ2）について観察される、可溶化性能レベル間の比較では、組成物（Ｘ0）が、組成物（Ｘ2）の可溶化能力を超える可溶化能力によって特徴付けられることが示される。
【０１１６】
１．５）電解質媒体中におけるｎ−ヘプチルポリグルコシドの可溶化特性の評価
前述の方法により得られた、ｎ−ヘプチルポリグルコシドの組成物（Ｘ0）の、電解質媒体中における可溶化特性を、前述の従来技術の組成物（Ｘ1）、（Ｘ2）、（Ｘ3）および（Ｘ4）と比較して、種々の非イオン性界面活性剤について、そしてメタケイ酸ナトリウムの種々の濃度で、以下に記述される評価方法により評価した。
【０１１７】
１．５．１）−可溶性にしようとする界面活性剤／可溶化用組成物のいくつかの重量比についての、電解質媒体中における可溶化能力の評価
１．５．１．１−方法の原理
この方法の目的は、従来技術の界面活性剤組成物と比較して、一定としている電解質媒体中に不溶な非イオン性界面活性剤についての、電解質媒体中におけるある界面活性剤組成物の可溶化能力を測定することである。
【０１１８】
１．５．１．２−実験プロトコル
１グラムの量の、可溶化にしようとする非イオン性界面活性剤（Ｔｉ）と、ｘ2グラムの量の、試験される可溶化用界面活性剤組成物（Ｘｉ）と、ｙ2グラムの量のメタケイ酸ナトリウムと、１００ｃｍ3の溶液を得る体積を構成する量の蒸留水とを、１２０ｃｍ3ガラスフラスコに投入する。磁化した磁気棒をそのガラスフラスコ中に入れ、次いでこれを、温度２０℃において１時間、１００回転／分の速度で磁気撹拌する。
【０１１９】
１．５．２．３−結果の表示
実験者は、本出願の１．５．１．２節のプロトコルにより得られた溶液の目視による外観を記録し、「清澄（ｃｌｅａｒ）」または「曇っている（ｃｌｏｕｄｙ）」が適正であるとして記載している。
【０１２０】
１．５．１．４−従来技術の化合物を含む組成物（Ｘ1）、（Ｘ2）、（Ｘ3）および（Ｘ4）の可溶化能力と比較した、本発明による式（Ｉ）の化合物を含む組成物（Ｘ0）の、電解質媒体中における可溶化能力の特性評価
得られた結果
本出願の１．５．１．２節において記述した実験プロトコルを、可溶化用界面活性剤組成物（Ｘ0）、（Ｘ1）、（Ｘ2）、（Ｘ3）および（Ｘ4）について、そして前述の非イオン性界面活性剤組成物（Ｔ１）、（Ｔ２）、（Ｔ３）および（Ｔ４）について実行した。
【０１２１】
実験的測定は、種々の量ｙ2のメタケイ酸ナトリウムの存在において、それぞれの量ｘ2の、試験した種々の可溶化用組成物（Ｘ1）、（Ｘ2）、（Ｘ3）および（Ｘ4）について、ならびにそれぞれの非イオン性界面活性剤（Ｔ１）、（Ｔ２）、（Ｔ３）および（Ｔ４）について実行して、含有量１０重量％、２０重量％および３０重量％を得た。試験される種々の可溶化用組成物（Ｘ1）、（Ｘ2）、（Ｘ3）および（Ｘ4）の量ｘ2を測定して、１／１、１／２および１／５に等しい組成物（Ｔｉ）／組成物（Ｘｉ）の重量比を達成した。
【表１０】
2013545844.tif 000012
【表１１】
2013545844.tif 000013
【表１２】
2013545844.tif 000014
【表１３】
2013545844.tif 000015
【０１２２】
得られた結果の解析
低い発泡力によって特徴付けられる組成物、すなわち組成物（Ｘ0）、組成物（Ｘ1）および組成物（Ｘ4）について観察された可溶化性能レベル間の比較は、他の組成物と異なり、１０重量％のケイ酸ナトリウム量で、全ての非イオン性界面活性剤組成物（Ｔ１）、（Ｔ２）、（Ｔ３）および（Ｔ４）について明澄なアルカリ性洗浄剤溶液を得るのに、１当量（重量）の組成物（Ｘ0）を要するだけであることを示している。
【０１２３】
組成物（Ｘ0）および組成物（Ｘ2）について観察された可溶化性能レベル間の比較は、アルカリ性洗剤組成物中に３０重量％の割合でケイ酸ナトリウム量が存在する場合、５当量（重量）の組成物（Ｘ2）を使用しても、非イオン性界面活性剤組成物（Ｔ１）、（Ｔ２）、（Ｔ３）および（Ｔ４）はうまく可溶化されないが、一方、非イオン性界面活性剤組成物（Ｔ１）、（Ｔ２）、（Ｔ３）および（Ｔ４）を可溶性にするのに、１当量（重量）の組成物（Ｘ0）を要するだけであることを示している。
【０１２４】
１．５．２−可溶にしようとする界面活性剤の一定量を可溶性にする、可溶化用組成物の最小量を測定することによる、電解質媒体中における可溶化能力の評価
１．５．２．１−方法の原理
この方法の目的は、従来技術の界面活性剤組成物と比較して、一定としている電解質媒体中に不溶な非イオン性界面活性剤についての、電解質媒体中におけるある界面活性剤組成物の可溶化能力を測定することである。
【０１２５】
この方法において、電解質媒体中に不溶な非イオン性界面活性剤の量は、選択されたそれぞれの水性電解質媒体の重量１００％当り５％に固定され、実験者は、可溶化用界面活性剤組成物を徐々に添加することによって、清澄な電解質溶液を得るためのその組成物の最小量を測定する。この方法は、本発明による組成物について、そして従来技術の界面活性剤組成物について行われる。
【０１２６】
１．５．２．２−実験プロトコル
５グラムの量の、可溶性にしようとする非イオン性界面活性剤（Ｔｉ）と、９５グラムの量の、蒸留水およびメタケイ酸ナトリウムの量ｙ2グラムからなる混合物とを、１２０ｃｍ3ガラスフラスコに投入する。
【０１２７】
磁化した磁気棒をそのガラスフラスコ中に入れ、次いでこれを、温度２０℃において１時間、１００回転／分の速度で磁気撹拌する。
【０１２８】
次いで、試験される可溶化用界面活性剤組成物（Ｘｉ）を徐々に投入し、実験者は、明澄な電解質水溶液を得るために必要とされる前記可溶化用界面活性剤組成物（Ｘｉ）の最小量ｘ1グラムを測定する。
【０１２９】
１．５．２．３−結果の表示
本出願の１．５．２．２節のプロトコルにより得られた溶液の目視による外観が清澄である場合、実験者は、この明澄な外観を達成するために、添加された可溶化用界面活性剤組成物（Ｘｉ）の量ｘ1を記録する。
【０１３０】
１．５．２．４−従来技術の化合物を含む組成物（Ｘ1）、（Ｘ2）および（Ｘ3）の可溶化能力と比較した、本発明による式（Ｉ）の化合物を含む組成物（Ｘ0）の、電解質媒体中における可溶化能力の特性評価
得られた結果
本出願の１．５．２．２節において記述した実験プロトコルを、可溶化用界面活性剤組成物（Ｘ0）、（Ｘ1）、（Ｘ2）および（Ｘ3）について、そして前述した非イオン性表面組成物（Ｔ５）および（Ｔ６）について実行した。
【０１３１】
実験的測定は、種々の量ｙ2のメタケイ酸ナトリウムの存在において、１．５．２．２節において記述される実験プロトコルにより実行して、それぞれの組成物（Ｔ５）および（Ｔ６）についてメタケイ酸ナトリウム含量１０重量％および２０％を得た。
【０１３２】
実験者は、清澄な溶液を得るために必要とされる組成物（Ｘ0）、（Ｘ1）、（Ｘ2）および（Ｘ3）の最小量を記録し、以下の表１４中に記載した。
【表１４】
2013545844.tif 000016
【０１３３】
得られた結果の解析
低い発泡力によって特徴付けられる組成物、すなわち組成物（Ｘ0）および組成物（Ｘ1）について観察された可溶化性能レベル間の比較は、製造した洗剤溶液中に存在するメタケイ酸ナトリウムの量が何であっても、本発明の主題であるｎ−ヘプチルポリグルコシドを含む組成物（Ｘ0）が、組成物（Ｘ1）について観察される可溶化能力を超える可溶化能力によって特徴付けられることが示され、それは、明澄な溶液を得るために要する最小量が、組成物（Ｘ1）についてよりも組成物（Ｘ0）について少ないからである。
【０１３４】
組成物（Ｘ0）について、および組成物（Ｘ2）ならびに組成物（Ｘ3）について観察された可溶化性能レベル間の比較は、製造した洗浄剤溶液中に存在するメタケイ酸ナトリウムの量が何であっても、本発明の主題であるｎ−ヘプチルポリグルコシドを含む組成物（Ｘ0）が、組成物（Ｘ2）および組成物（Ｘ3）について観察される可溶化能力を超える可溶化能力によって特徴付けられることが示され、それは、清澄な溶液を得るために要する最小量が、組成物（Ｘ2）および（Ｘ3）についてよりも組成物（Ｘ0）について少ないからである。
【０１３５】
１．６）結論
本発明の主題であるｎ−ヘプチルポリグルコシドを含む組成物（Ｘ0）は、従来技術において知られる可溶化剤に比べて、高い割合におけるアルカリ性および電解質媒体中においても、改良された低発泡性および可溶化性を示す。
【０１３６】
２）水性アルカリ性洗剤組成物
２．１．床用の産業用洗浄製品
２．１．１床用の産業用洗浄製品の製造
【表１５】
2013545844.tif 000017
【０１３７】
（１）Ｓｉｍｕｌｓｏｌ（商標）ＮＷ９００：ＳＥＰＰＩＣ社により販売される洗剤界面活性剤組成物であり、１モル当量の商標名Ｅｘｘａｌ（商標）１０のもとに販売されているアルコールの、９モル当量のエチレンオキシドとの反応からもたらされるポリエトキシ化アルコールを含む；
（２）Ｄｏｗａｎｏｌ（商標）ＤＰＭ：Ｄｏｗ  Ｃｈｅｍｉｃａｌｓ社により販売されるジプロピレングリコールモノメチルエーテル；
（３）Ｄｅｑｕｅｓｔ（商標）３０００Ｓ：Ｍｏｎｓａｎｔｏ社により販売されるホスホン酸ナトリウム。
【０１３８】
アルカリ性洗剤組成物の製造手順：それぞれの成分を混合槽に順次導入し、均質かつ明澄な組成物が得られるまで、大気温度（ambient temperature）で適度に機械的撹拌する。２０℃で３０分間撹拌を維持し、次いで染料および芳香剤を導入する。得られた組成物は、１２．９と測定されるｐＨを有し、４０℃で１か月の期間貯蔵した後、清澄および均質のままであり、５℃で１か月の期間貯蔵した後、明澄かつ均質である。
【０１３９】
２．１．２  ２．１．１において製造した組成物を使用した洗浄方法
２．１．１において製造した組成物の水中１０％希釈物を周囲温度で製造し、次いで、床掃除機によって、油およびグリースで構成される汚れにより、汚されたタイル貼り床に塗布する。２．１．１において製造した組成物がこうして含浸された床を次に、ガーデンホースによって加圧下において熱水（６０℃）ですすぐ。
【０１４０】
２．２．車およびトラック用洗浄組成物
２．２．１  車およびトラック用洗浄組成物の製造
【表１６】
2013545844.tif 000018
【０１４１】
（４）Ｓｉｍｕｌｓｏｌ（商標）ＯＸ１００６Ｌ：ＳＥＰＰＩＣ社により販売される洗剤界面活性剤組成物であり、１モル当量の商標名Ｅｘｘａｌ（商標）１０のもとに販売されているアルコールの、６モル当量のエチレンオキシドとの反応からもたらされるポリエトキシ化アルコールを含む。
【０１４２】
車およびトラック用洗剤組成物の製造手順：それぞれの成分を混合槽に順次導入し、大気温度で、均質かつ清澄な組成物が得られるまで激しく機械的に撹拌する。２０℃で３０分間撹拌を維持し、次いで染料および芳香剤を導入する。得られた組成物は、１２．１と測定されるｐＨを有し、２０℃で１か月の期間貯蔵した後、明澄および均質のままである。
【０１４３】
２．２．２  ２．２．１において製造した組成物を使用した洗浄方法
２．１．１において製造した組成物の水中１０％希釈物を大気温度で製造し、次いで、温度６０℃で低圧のガーデンホースによって、泥およびグリースで汚されたモータビークルのボディフレームに塗布する。２．２．１において製造した洗浄組成物の希釈物を含浸させた車両を、高圧（１００バール）下で６０℃の水によりすすぐ。こうして洗浄した車両は、もはやその側面に全く汚れがなく、光沢のある外観を有する。
【０１４４】
２．２．３  車またはトラックのアルミニウムホイールの洗浄
２．２．２において記述した洗浄方法を使用して、油およびグリースで汚された、車またはトラックのアルミニウムホイールを洗浄するが、２．２．１で製造した組成物の水中１５重量％希釈物を使用している。
【０１４５】
２．３  オーブンおよび調理グリル用洗浄組成物
２．３．１  オーブンおよび調理グリル用洗浄組成物の製造
【表１７】
2013545844.tif 000019
【０１４６】
（５）Ｓｉｍｕｌｓｏｌ（商標）ＯＸ１３０９Ｌ：ＳＥＰＰＩＣ社により販売される洗剤界面活性剤組成物であり、１モル当量の商標名Ｅｘｘａｌ（商標）１３のもとに販売されているアルコールの、９モル当量のエチレンオキシドとの反応からもたらされるポリエトキシ化アルコールを含む；
（６）Ｓｏｌａｇｕｍ（商標）ＳＦ  ３０６：油中水型エマルジョンの形態で提供される増粘剤組成物であり、アクリルアミドおよび２−アクリルアミド−２−メチルプロパンスルホン酸のナトリウム塩を主成分とする架橋ポリマーを含む。
【０１４７】
オーブンおよび調理グリル用洗浄組成物の製造手順
ａ）２０℃で、Ｓｉｍｕｌｓｏｌ（商標）ＯＸ１３０９Ｌと、次いで本発明による組成物（Ｘ0）とを水に添加することによってプレゲルを製造する。次いで、Ｓｏｌａｇｕｍ（商標）ＳＦ  ３０６を、水溶液中に投入し、安定な粘度のゲルが得られるまで混合する。
【０１４８】
ｂ）次いで水酸化ナトリウムを、温度２０℃で機械的に撹拌しながら、均質なゲルが得られるまで徐々に添加する。
【０１４９】
工程ｂ）の終わりに得られたゲルは、均質かつ清澄な外観を示し、粘度１１０００ｍＰａ．ｓ（６回転／分の速度にあるＢｒｏｏｋｆｉｅｌｄ  ＬＶＴ粘度計を使用して測定した）を有する。この手順の工程ｂ）の終わりに得られたゲルは、２５℃で６か月の貯蔵期間後、粘度１２０００ｍＰａ．ｓ（６回転／分の速度にある、Ｂｒｏｏｋｆｉｅｌｄ  ＬＶＴ粘度計を使用して測定した）を有し、均質かつ明澄な外観を有している。
【０１５０】
２．３．２  ２．３．１において製造した組成物を使用した洗浄方法
ゲルの形態において提供される２．３．１において製造した組成物を、大気温度で、食物脂肪で汚れたオーブンの壁上に、そして、やはり食物脂肪で汚れた調理グリル上に吹き付ける。１０分後、オーブンの壁および調理グリルを、６０℃における熱水ですすぐ。こうして洗浄した、オーブンの壁および調理グリルの表面は、もはや全く汚れを示していない。
【国際調査報告】
2013545844.tif 000020
2013545844.tif 000021
2013545844.tif 000022
2013545844.tif 000023
2013545844.tif 000024
2013545844.tif 000025
2013545844.tif 000026
2013545844.tif 000027